(57)【要約】【課題】昨今の気温変動や環境異変にも左右されることなく、無病の農作物の収穫に資する最適なアスパラガス栽培方法を提供することを目的とするものであり、具体的には、年間の収量を向上させるために、下記２つの課題解決を図ることを目的とするものである。第一に、秋冬期に積極的に低温に当てることで、休眠期間を短縮し、春芽の収穫を前進化させることであり、第二に、夏期のハウス内の温湿度を適正な環境へ改善し、夏芽の収量を向上させることである。【解決手段】本発明によれば、アスパラガス半促成栽培において、地上茎群落斜め下位に設置した送風装置から地上茎群落中央部と畝中央部に向けて送風し、かつ、地上茎群落下位部に設置したミスト装置から畝面全体に散水することによって、生育に適正な地温および群落内温湿度を維持することを特徴とするアスパラガス栽培方法が提供される。【選択図】図１
2020198860.tif 000002
【特許請求の範囲】
【請求項１】
アスパラガス半促成栽培において、
地上茎群落斜め下位部に設置した送風装置から地上茎群落中央部と畝中央部に向けて送風し、かつ、地上茎群落下位部に設置したミスト装置から畝面全体に散水することによって、
生育に適正な地温および群落内温湿度を維持することを特徴とするアスパラガス栽培方法。
【請求項２】
畝上６０ｃｍ近傍に畝と平行にネットを設置し、当該ネット上にミスト装置として散水チューブを設置したことを特徴とする請求項１に記載のアスパラガス栽培方法。
【請求項３】
畝上６０ｃｍ近傍に畝と平行にネットを設置し、当該ネット下部に沿って小型送風機に接続したダクトを配置したことを特徴とする請求項１乃至２に記載のアスパラガス栽培方法。  
【請求項４】
群落内での散水を１時間あたり１乃至２回行いながら、ミスト噴霧下において送風することを特徴とする請求項１乃至３に記載のアスパラガス栽培方法。
【発明の詳細な説明】
【技術分野】
【０００１】
本発明は、アスパラガスの栽培方法に関するものである。さらに詳細には、半促成栽培方法における温湿度環境改善技術によって、アスパラガスの収穫量を向上させることができるアスパラガスの栽培方法を提供するものである。
【背景技術】
【０００２】
昨今の異常気象の農業作物にもたらす影響は極めて深刻である。特に日照時間、降雨量および温湿度の極端な変化は植物の生育に致命的である。
気象庁の公表データによれば、高温多湿の状態は今後も続くことが明らかであり、もはや昨今の異常は常態化したものともいえ、これからも農作物への影響は計り知れない。災害による不作はもとよりであるが、環境変化のもたらす病害や農業経営上においても深刻な問題である。通気不良や高い温湿度の影響で、農作物一般に、病原菌の活動が活発化し、感染と枯死等の被害が拡大傾向にある。農作物のうち、宿根野菜は、単年度のダメージが翌年度以降にも及ぶことから、収穫サイクルの維持管理が喫緊の課題となっている。アスパラガスも宿根野菜の一つであり、正常な収穫サイクル維持と収穫向上の技術提供が待たれている野菜種である。
【０００３】
アスパラガスは、佐賀県内での野菜生産額第４位で、本県の園芸農業を支える重要品目の一つであるが、近年の温暖化により生産量は減少傾向にある。今後、産地を持続的に発展させていくためには、気象変動に適応できる栽培環境の技術提供と収量の向上を図る必要がある。
また、アスパラガスは、作型によって生育パターンがかわり、それが収穫にも影響するが、露地普通栽培では、日当たりを好み、１５〜２０℃くらいの温度で生育することができる。３０℃以上になるとその成長が緩やかになり、５℃以下になると休眠する。また一方で、アスパラガスは、生育上多湿を好む。収穫期に３０℃を超えると相対湿度が低下し、高温低湿が葉焼けや株の消耗および病気の発生等を助長することで、正常な生育と収穫が見込めない。現行栽培においては、これらの生育特性を基本に、土地柄と作型に応じた最適な栽培条件を組み立ているのが現状であるが、先述のとおり、高温低湿度の異常環境においては、特に温湿度の最適な維持管理が安定な収穫サイクルを担保するうえで重要である。
【０００４】
アスパラガスの栽培に関しては、過去にも種々の視点で改良がされてきており、例えば、特許文献１乃至６の技術があげられる。これらは、いずれもある程度一定の効果は収めてはいるが、依然課題も多く、特に昨今の地球温暖化による異常気象下において、栽培環境改善を図るための最適な技術提供の課題としては未達領域である。以下、簡単に俯瞰する。
【０００５】
特許文献１には、アスパラガスの栽培において、収量安定化のためにメチオニンを肥料成分の一つとして施用する方法が開示されているが、メチオニン施用時の処理量や施用後の土壌管理が難しい。
【０００６】
特許文献２には、肥料の持続効果が長く、短期間で大株に生育させることができ、早期の収穫を可能とするアスパラガスのマルチ促成栽培方法及びアスパラガスの促成栽培用マルチフィルムが開示されているが、個々の作業工程が煩雑なうえ、技術は限定的である。また、管理負担が大きいため、汎用性に乏しく大規模な栽培方法としては不向きである。
【０００７】
特許文献３は、特許文献２の改良技術が開示されている。すなわち、特許文献２の実用化において、フィルム展張時より追肥用穴を開けていると、生育作物の初期成長時に雑草が追肥用穴から生え出してしまい、生育作物の成長に害を及ぼすという新たな問題が見いだされ、雑草防除と除草剤処理解消の観点からフィルムに工夫を施したが、依然として、出願人が指摘した特許文献２の問題点は抱えたままである。
【０００８】
特許文献４には、四季を問わず通年、短縮された栽培期間で、効率的にアスパラガスを栽培し収穫することが可能なアスパラガスの栽培方法及び栽培に使用する根株の提供技術が開示されている。
具体的には、アスパラガスの栽培方法において、播種し育苗を終えたアスパラガスの苗を、培地に設けた透水性不織布のシートで囲んだ溝内の培養土に定植して生育させ、発育した根株を当該シートごと堀上げて保冷し休眠状態においた後、保冷した根株を萌芽させて収穫する。前記発育した根株が、培養土とともに前記透水性不織布のシートにくるまれ、該シートに包んだまま培土から剥ぎ取られる際に、根株の根や根毛が切断される。これを保冷し強制的に根株を休眠状態におく。この根株を適宜保温し萌芽させてアスパラガスを収穫するというものである。
しかしながら、工程管理の煩雑さ故に年度ごとの業務負担が大きく、昨今の異常気象下における土壌での温湿度管理の問題は解消できない。
【０００９】
特許文献５には、株が成長し収穫物を多く生産出来る様になるにつれて培地内の生育環境が悪くなり、肥料の効きも効かせ方も難しくなって来る不都合を解決する為の画期的な栽培方法を提案するものであるが、温湿度管理の観点から栽培技術を改善したものではなく、栽培環境の変化に対する課題解決には至っていない。
【００１０】
特許文献６には、水耕栽培技術が開示されている。アスパラガスは、アレロパシー物質と呼ばれる作物の生育阻害原因物質を多く放出し、アスパラガスを栽培 している土壌においては、栽培期間が長期化するほどアレロパシー物質濃度が上昇する。そのため、実際の現場では、アスパラガスを長期に亘って栽培し、収穫を続けることは非常に難しく、できるだけ長く同じ株を栽培し続ける技術の確立が求められていた。特許文献６には、その解決策として見いだされたものであるが、アスパラガスは耐水性に悖るため、維持管理の手間が大きい。
【００１１】
このように、アスパラガスの栽培において、もっとも基本的な露地栽培と密接な環境対策に着目した技術改良や環境変化に適応できる簡便かつ安定な栽培方法を提供する技術が見いだされていない。
【先行技術文献】
【特許文献】
【００１２】
【特許文献１】特開昭５９−１４７２６号公報
【特許文献２】特開２００５−２６９９０３号公報
【特許文献３】特開２００６−４２７００号公報
【特許文献４】特開２００６−１４１２６４号公報
【特許文献５】特開２０１１−８７５６４号公報
【特許文献６】特開２０１７−１９２３４８号公報
【発明の概要】
【発明が解決しようとする課題】
【００１３】
本発明は、アスパラガス栽培の作型のうち、露地通常栽培を雨よけ状態としたハウスでの半促成栽培における課題を解決するものである。
【００１４】
目下のところ、年間をとおして安定かつ継続的な収量を目指すべく、ハウス栽培における大きな問題として次の２つがあげられる。
すなわち、第一に、「近年の温暖化や株の栽培年数の長期化により休眠期間が長く、収穫開始までに時間がかかる」という問題である。アスパラガスは秋から冬にかけて同化養分を貯蔵根へ蓄え、休眠に入る。同化養分の転流や休眠の打破には一定の低温が必要とされているため、従来の栽培方法ではこの期間を短縮して収穫開始を早めることはできなかった。また、近年は秋冬期が暖かく、低温遭遇が不十分なために春芽収量が低下する事例も生じている。
【００１５】
第二に、「夏期高温・乾燥による収量・品質の低下」の問題である。夏期の日中のハウス内は高温で乾燥した環境（気温が４０℃以上、湿度が５０％以下）となることが多い。アスパラガスの若茎は、３５℃以上で伸長が鈍化し高温障害（葉焼けや株の消耗、病気等）が発生する。また、高温・乾燥条件では、光合成速度も低下し、収量低下も招いている。これら２つの問題解決については、相互に関連し共通する温度と湿度の一体的な最適管理が急務である。
【００１６】
本発明は、上記の問題に鑑みてなされたものであり、昨今の気温変動や環境異変にも左右されることなく、無病の農作物の収穫に資する最適なアスパラガス栽培方法を提供することを目的とするものであり、具体的には、年間収量の継続的な向上を企図し、上記２つの問題に対する個別の合理的な技術を構築し提供することを目的とするものである。
すなわち、本発明の課題は、第一に、秋冬期に積極的に低温に当てることで、休眠期間を短縮し、春芽の収穫を前進化させることを目的とするものであり、第二に、夏期のハウス内の温湿度を適正な環境へ改善し、夏芽の収量を向上させることを目的とするものである。
【課題を解決するための手段】
【００１７】
本発明者は、上記の課題を解決すべく、鋭意研究を行ったところ、散水と送風により、ハウス内の湿度を上昇させるとともに気温と地温を降下させる仕組み導入によって、昨今の異常気象に適応し得る最適なアスパラガスの栽培方法を見出し、本発明を完成した。
【００１８】
すなわち、本発明によれば、アスパラガス半促成栽培において、地上茎群落斜め下位に設置した送風装置から地上茎群落中央部と畝中央部に向けて送風し、かつ、地上茎群落下位部に設置したミスト装置から畝面全体に散水することによって、生育に適正な地温および群落内温湿度を維持することを特徴とするアスパラガス栽培方法が提供される。
【００１９】
本発明においては、散水のために、好適には畝上６０ｃｍ近傍に畝と平行にネットを設置し、当該ネット上にミスト装置として散水チューブを設置する。
【００２０】
一方、同じく本発明においては、送風のために、好適には畝上６０ｃｍ近傍に畝と平行にネットを連続的に設置し、当該ネット下部に沿って小型送風機に接続したダクトを配置する。  
【００２１】
本発明における、散水と送風の最も効果的な態様としては、群落内での散水を１時間あたり１乃至２回行いながら、ミスト噴霧下において送風することである。本発明は、アスパラガスの特性を踏まえたアイデアに基づいて開発されたものであり、２つの重要な着眼点がある。
【００２２】
１つ目は、アスパラガスは草丈が高く植物体と天井部が近い位置にあるため、散水チューブを群落の下に畝面に向けて設置し、茎葉が濡れるのを防いだことである。
２つ目は、光合成を行う群落と収穫物、生長点（鱗芽）がそれぞれ別の場所に存在するため、群落と畝面の２方向へ送風することで、群落と畝面の気温および地温を下げることができるように工夫したことである。
【００２３】
これら２つの改善点は、以下に開示する５つの類似技術の課題を総合的に解決した結果でもある。
すなわち、パットアンドファン法では、パット側とファン側で温度ムラが生じるほか、既存ハウスへの設置が困難であり、設備費も高額である。
【００２４】
細霧冷房によれば、アスパラガスは草丈が高く植物体と天井部が近い位置にあるため、粒径が粗いノズルでは植物体が濡れ、病気のリスクが高まるうえ、粒径が小さいノズルでは設備費が高額になる。
【００２５】
遮光すれば、遮光率が低いと下温効果が小さい一方、遮光率が高いと下温効果は大きいが、群落に入る光が少なくなり、群落光合成量は少なくなる結果品質の良い収穫物が見込めない。また、畝面へ届く光も少なくなることから、若茎の着色が悪くなり緑色が薄くなる問題がある。管理上、台風のたびに取り外し及び取り付け作業が必要となるほか、所望の湿度維持効果は期待できない。
【００２６】
屋根散水によれば、均一に散水するためには屋根に不織布等を設置する必要があり、群落へ入る光が少なくなることから、結果的に遮光と同じ問題も発生する。
【００２７】
循環扇によれば、ハウス内の空気を循環させるため、他の技術と比べて下温効果が小さいく、湿度維持効果も期待できない。
これに対して、上記の本発明による手段の採用によれば、光合成を損なわず、ハウス内の温湿度の適正な維持管理が達成できる。
【発明の効果】
【００２８】
本発明によれば、地上茎群落斜め下位部に設置した送風装置から地上茎群落中央部と畝中央部に向けて送風し、かつ、地上茎群落下位部に設置したミスト装置から畝面全体に散水することによって、生育に適正な地温および群落内温湿度を維持することを特徴とするアスパラガス半促成栽培方法が提供され、秋期においては、本発明の方法による散水・送風により、群落内気温および地温を低下できた結果、休眠期間が短縮されて収穫開始が前進化し、春芽収量が増加した。夏期においては、散水と送風を行うことで、高温期の気温および地温を低下させ、かつ、日中の湿度を高く維持できた結果、7〜9月の収量が向上した。
当該方法は、昨今の異常な高温低湿度にも適応できる栽培環境を提供するものである。
【発明を実施するための形態】
【００２９】
前述のとおり、本発明は、アスパラガス半促成栽培において、地上茎群落斜め下位部に設置した送風装置から地上茎群落中央部と畝中央部に向けて送風し、かつ、地上茎群落下位部に設置したミスト装置から畝面全体に散水することによって、生育に適正な地温および群落内温湿度を維持することを特徴とするアスパラガス栽培方法を提供するものである。
【００３０】
ミスト装置としては、畝面全体に散水できればその手段に制限はされないが、例えば、畝上６０ｃｍ近傍に畝と平行にネットを設置し、当該ネット上に散水チューブを設置すると散水効率が良い。ミスト装置には、散水チューブからの散水量、粒度および角度が畝面の面積に応じて調整できる機能を備えていても良い。
【００３１】
送風機としては、機種は特段制限されないが、外気を取り込みつつ、循環させながら風を送ることが重要であることから、そのための風量と方向の調整機能を備えていることが好ましく、設置位置としては、例えば、畝上６０ｃｍ近傍に畝と平行にネットを設置し、当該ネット下部に沿って小型送風機に接続したダクトを配置するのが効果的である。この場合、ダクトには、送風孔を設け、部分的に可動できるようにするのが好適である。季節的な影響も適宜加味するが、送風は、群落内での散水を平均的に１時間あたり１乃至２回行いながら、ミスト噴霧下において行うのが効率的である。
【実施例】
【００３２】
以下、実施例により、本発明を具体的に説明するが、本発明の範囲は当該実施例に限定されるものではない。
【００３３】
＜試験例１＞春芽収穫開始の前進化試験
（試験目的）
既述のとおり、アスパラガスは、一定の低温により同化養分を貯蔵根へ蓄え、休眠に入る。休眠の打破には一定期間の低温遭遇が必要とされているため、これまで多年生株の通常の作型での収穫開始は1年生株と比べて遅かったが、秋期の土壌水分制御や積極的な低温の確保により、休眠期間を短縮して春芽の収穫開始を前進化できる可能性がある。  
ここでは、秋冬期の散水と送風による下温が養分貯蔵と早期保温時の春芽収量に及ぼす影響を確認することを目的とした。
【００３４】
（試験方法）
（１）試験場所：農業試験研究センター内  アスパラガスA,Bハウス
（２）供試品種  ウェルカム  2014年定植株（5年生）
（３）耕種概要  (1) 栽植様式  畦幅150cm、株間30cm、1条植
(2) 施肥  N 50 kg/10a
(3) 保温開始  2017年12月28日
（４）試験区の構成
１）試験区            処理（注1）
２）散水・送風区      チューブ型ミストによる散水、
ポリダクト（φ13cm）による送風（注2）
３）対照区            無処理
（注1）簡易なチューブ型のミスト（ミストエース20）による散水と、
小型送風機に接続したダクト（φ13cm）からの送風による気化熱
冷却を行った。
（注2）送風は、2017年10月20日〜12月19日の期間中、24時間行った。
（５）試験規模：1区9株3反復、立茎本数：3本/株
（６）調査項目：春芽収量、貯蔵根糖度、ハウス内環境（気温、地温）
【００３５】
（結果の概要）
（１）散水・送風区における10月21日〜11月20日の期間の日最高気温は、
対照区と比較して群落上層が平均1.1℃、下層が平均0.9℃低かった（図４）。
また、日平均地温は、散水・送風区が地下3 cm地点において平均0.6℃、地下10 cm
地点において平均0.5℃低かった（図５）。
（２）11月末の貯蔵根Brix値は、
散水送風・早期保温区＝散水送風・通常保温区＞慣行・早期保温区＞
慣行・通常保温区の順に高かった。
12月中旬の散水送風区と慣行区の貯蔵根Brix値の差は、
早期保温の場合が0.9度、通常保温の場合が0.8度であった。
（３）1月の収量は、散水・送風区が11.5kg/a、対照区が4.4kg/aであり、
散水・送風区がわずかに優れた。
また、1〜3月までの収量は、散水・送風区が76.3kg/a、対照区が
58.0kg/aであり、秋期の散水・送風によって春芽収量が増加した（図６）。  
【００３６】
（結果と考察）
以上のとおり、秋期の散水・送風により、群落内気温および地温が低下し、
春芽収量が増加することが確認できた。
収量向上率は、対慣行比で４０％であった（図６）本発明の方法によれば、従来、
国内の生産量が少なく単価が高い1月から出荷が可能な多年生株の収穫開始前
進化技術の開発によって、生産の安定化と収量増加が継続に期待できる。  
【００３７】
＜試験例２＞夏芽収穫向上試験
（試験目的）
アスパラガスは、特に夏期のハウス内環境悪化による葉焼けや奇形の発生が
問題となっており、よりよい環境へ改善することで更なる増収が可能と考えられる。
そこで、本試験では、チューブ型ミストを用いた散水と、小型送風機に接続した
ダクトからの送風による夏期のハウス内環境改善効果を確認することを目的とした。
【００３８】
（試験方法）  
（１）試験場所：農業試験研究センター内  野菜栽培研究担当
アスパラガスA,Bハウス
（２）供試品種  ウェルカム  2014年定植株
（３）耕種概要  (1) 栽植様式  畦幅150cm、株間30cm、1条植
(2) 施肥  N 50 kg/10a
（４）試験区の構成
１）試験区            処理（注1）
２）散水・送風区      チューブ型ミストによる散水、
ポリダクト（φ13cm）による送風（注2）
３）対照区            無処理
（注1）簡易なチューブ型のミスト（ミストエース20）による散水と、
小型送風機に接続したダクト（φ13cm）からの送風による気化熱冷
却を行った。
（注2）散水は2017年7月11日〜10月20日の晴天日に8回/日、
30秒/回の設定で行った。
送風は、2017年7月11日〜10月20日の期間中、8:30〜17:00の
8.5時間/日の設定で行った。
（５）試験規模：1区9株3反復、立茎本数：3本/株
（６）調査項目：（１）収量調査、（２）環境調査  ハウス内気温、地温、湿度
【００３９】
（結果の概要）
（１）散水・送風を行うことで、日中の群落内部の気温が慣行区と比較して、
1〜2℃程度低く推移した（図７）。日中の地温は、地下3cm、10cmともに
散水・送風区、散水区、慣行区の順で低かった（図９は散水と送風の併用
効果との比較結果）。
また、散水により日中の湿度が慣行区と比べて高く維持された（図８は
散水と送風の併用効果との比較結果）。群落内のCO2濃度は、送風区の送
風孔付近で最も高く、送風孔から約100 cm離れた群落表層では10〜15 ppm
程度低下した。
群落表層のCO2濃度は、散水・送風区が慣行区と比べて5〜10 ppm高く
推移したものの、大きな差は見られなかった。
（２）7〜9月の高温期の商品果収量は、散水・送風区が173 kg/a、
散水区が157 kg/a、慣行区が135 kg/aであり、散水・送風区が
最も高かった。
【００４０】
（結果と考察）
以上のとおり、本発明の方法によって夏期に散水と送風を行うことで、
高温期の気温および地温が低下し、日中の湿度が高く維持され、7〜9月の収量が向上した（図１０）。
【図面の簡単な説明】
【００４１】
【図１】アスパラガスのハウス栽培における２つの課題
【図２】本発明におけるハウス内環境改善技術の一例
【図３】本発明における技術開発のポイント
【図４】本発明の実施効果１−１  （秋冬期の気温変動）
【図５】本発明の実施効果１−２  （秋冬期の地温変動）
【図６】本発明の実施効果１−３  （翌年春芽の収量）
【図７】本発明の実施効果２−１  （夏期の気温変動）
【図８】本発明の実施効果２−２  （夏期の湿度変動）
【図９】本発明の実施効果２−３  （夏期の地温変動）
【図１０】本発明の実施効果２−４（夏芽の収量）
【符号の説明】
【００４２】
１：本発明の設備例における送風機の吸風口
２：本発明の設備例における送風機の送風ダクト
３：本発明の設備例におけるミスト装置（散水チューブ）
【図１】
2020198860.tif 000003
【図２】
2020198860.tif 000004
【図３】
2020198860.tif 000005
【図４】
2020198860.tif 000006
【図５】
2020198860.tif 000007
【図６】
2020198860.tif 000008
【図７】
2020198860.tif 000009
【図８】
2020198860.tif 000010
【図９】
2020198860.tif 000011
【図１０】
2020198860.tif 000012
【手続補正書】
【提出日】令和1年11月30日(2019.11.30)
【手続補正１】
【補正対象書類名】特許請求の範囲
【補正対象項目名】全文
【補正方法】変更
【補正の内容】
【特許請求の範囲】
【請求項１】
アスパラガス半促成栽培において、
地上茎群落斜め下位部に設置した送風装置から地上茎群落中央部と畝中央部に向けて送風し、かつ、地上茎群落下位部に設置したミスト装置から畝面全体に散水することによって、
秋冬期の早期休眠打破および夏期の生育向上に適正な地温および群落内温湿度の環境を維持することを特徴とするアスパラガス栽培方法。
【請求項２】
畝上６０ｃｍ近傍に畝と平行にネットを設置し、当該ネット上にミスト装置として散水チューブを設置したことを特徴とする請求項１に記載のアスパラガス栽培方法。
【請求項３】
畝上６０ｃｍ近傍に畝と平行にネットを設置し、当該ネット下部に沿って小型送風機に接続したダクトを配置したことを特徴とする請求項１乃至２に記載のアスパラガス栽培方法。  
【請求項４】
群落内での散水を１時間あたり１乃至２回行いながら、ミスト噴霧下において送風することを特徴とする請求項１乃至３に記載のアスパラガス栽培方法。
【手続補正２】
【補正対象書類名】明細書
【補正対象項目名】００１８
【補正方法】変更
【補正の内容】
【００１８】
すなわち、本発明によれば、アスパラガス半促成栽培において、地上茎群落斜め下位に設置した送風装置から地上茎群落中央部と畝中央部に向けて送風し、かつ、地上茎群落下位部に設置したミスト装置から畝面全体に散水することによって、秋冬期の早期休眠打破および夏期の生育向上に適正な地温および群落内温湿度の環境を維持することを特徴とするアスパラガス栽培方法が提供される。
【手続補正３】
【補正対象書類名】明細書
【補正対象項目名】００２８
【補正方法】変更
【補正の内容】
【００２８】
本発明によれば、地上茎群落斜め下位部に設置した送風装置から地上茎群落中央部と畝中央部に向けて送風し、かつ、地上茎群落下位部に設置したミスト装置から畝面全体に散水することによって、秋冬期の早期休眠打破および夏期の生育向上に適正な地温および群落内温湿度の環境を維持することを特徴とするアスパラガス半促成栽培方法が提供され、秋期においては、本発明の方法による散水・送風により、群落内気温および地温を低下できた結果、休眠期間が短縮されて収穫開始が前進化し、春芽収量が増加した。夏期においては、散水と送風を行うことで、高温期の気温および地温を低下させ、かつ、日中の湿度を高く維持できた結果、7〜9月の収量が向上した。
当該方法は、昨今の異常な高温低湿度にも適応できる栽培環境を提供するものである。
【手続補正書】
【提出日】令和2年4月19日(2020.4.19)
【手続補正１】
【補正対象書類名】特許請求の範囲
【補正対象項目名】全文
【補正方法】変更
【補正の内容】
【特許請求の範囲】
【請求項１】
アスパラガス半促成栽培において、
畝上６０ｃｍ近傍にミスト装置として連続的に据えた散水チューブ  と、送風装置に接続したダクトを備え、
前記ミスト装置からは畝面全体に散水するとともに、前記送風装置からは、ミスト噴霧下において、地上茎群落中央部と畝中央部に向けて送風することによってアスパラガスの年間収量の向上を図る方法であって、当該目的達成のため、
１０月中旬以降から１２月までの期間においては、前記方法の採用により、群落上層、群落下層のなりゆき気温に対して最低１℃の範囲、同じく地温を０．５℃の範囲で低下させ、畝面の加湿を維持させることで秋冬期の早期休眠打破と春芽収量の向上を図り、
さらに、７月から１０月中旬までの期間においては、前記方法の採用に  より、群落上層、群落下層のなりゆき気温に対して１〜２℃の範囲、同じく地温を０．５℃の範囲で低下させ、畝面の加湿を維持させる一方、群落上層および群落下層のなりゆき湿度に対して１０％の範囲で上昇させることで夏期の生育向上と夏芽の収量向上を図ることを特徴とするアスパラガスの栽培方法。
【手続補正２】
【補正対象書類名】明細書
【補正対象項目名】００１８
【補正方法】変更
【補正の内容】
【００１８】
すなわち、本発明によれば、アスパラガス半促成栽培において、
畝上６０ｃｍ近傍にミスト装置として連続的に据えた散水チューブ  と、送風装置に接続したダクトを備え、
前記ミスト装置からは畝面全体に散水するとともに、前記送風装置からは、ミスト噴霧下において、地上茎群落中央部と畝中央部に向けて送風することによってアスパラガスの年間収量の向上を図る方法であって、当該目的達成のため、
１０月中旬以降から１２月までの期間においては、前記方法の採用により、群落上層、群落下層のなりゆき気温に対して最低１℃の範囲、同じく地温を０．５℃の範囲で低下させ、畝面の加湿を維持させることで秋冬期の早期休眠打破と春芽収量の向上を図り、
さらに、７月から１０月中旬までの期間においては、前記方法の採用により、群落上層、群落下層のなりゆき気温に対して１〜２℃の範囲、同じく地温を０．５℃の範囲で低下させ、畝面の加湿を維持させる一方、群落上層および群落下層のなりゆき湿度に対して１０％の範囲で上昇させることで夏期の生育向上と夏芽の収量向上を図ることを特徴とするアスパラガスの栽培方法が提供される。
【手続補正３】
【補正対象書類名】明細書
【補正対象項目名】００１９
【補正方法】変更
【補正の内容】
【００１９】
本発明においては、散水のために、例えば畝上６０ｃｍ近傍に畝と平行にネットを設置し、当該ネット上にミスト装置として散水チューブを設置することも任意である。
【手続補正４】
【補正対象書類名】明細書
【補正対象項目名】００２０
【補正方法】変更
【補正の内容】
【００２０】
一方、同じく本発明においては、送風のために、例えば畝上６０ｃｍ近傍に畝と平行にネットを連続的に設置し、当該ネット下部に沿って小型送風機に接続したダクトを配置することも任意である。  
【手続補正５】
【補正対象書類名】明細書
【補正対象項目名】００２１
【補正方法】変更
【補正の内容】
【００２１】
本発明における、散水と送風の最も効果的な態様としては、群落内で畝面に向けて散水を行いながら、ミスト噴霧下において送風することである。本発明は、アスパラガスの特性を踏まえたアイデアに基づいて開発されたものであり、２つの重要な着眼点がある。